(57)【特許請求の範囲】
【請求項１】
カメラ本体と交換レンズとの間に介挿される中間アダプタであって、
前記中間アダプタが前記カメラ本体に装着されたときに、前記カメラ本体に設けられたレンズ装着検出用の端子と接続可能な第１の端子と、
前記中間アダプタに前記交換レンズが装着されたときに、前記交換レンズに設けられた接地電位を与える端子と接続可能な第２の端子と、
前記第１の端子と第２の端子間に介在し、オンしたときに前記第１の端子と第２の端子間を電気的に接続し、オフしたときに前記第１の端子と第２の端子間の電気的な接続を遮断する第１のスイッチとを備え、
前記第１のスイッチは、
前記中間アダプタに前記交換レンズが未装着のとき、または、前記中間アダプタに前記交換レンズが装着されている途中においては、オフして前記第１の端子と第２の端子間の電気的な接続を遮断し、
前記中間アダプタに前記交換レンズが正しく装着されたときは、オンして前記第１の端子と第２の端子間を電気的に接続する、
ことを特徴とする中間アダプタ。
【請求項２】
前記カメラ本体は、前記中間アダプタと前記カメラ本体との当接状態に応じて、前記中間アダプタの装着を検出する第２のスイッチを備える、
ことを特徴とする請求項１記載の中間アダプタ。
【請求項３】
前記カメラ本体に設けられたレンズ装着検出用の端子は、前記交換レンズに前記中間アダプタが正しく装着されたときに、接地電位に制御される、
ことを特徴とする請求項１記載の中間アダプタ。
【請求項４】
前記中間アダプタが前記カメラ本体に装着されたときに、前記カメラ本体に設けられたアダプタ装着検出用の端子と接続可能な第３の端子と、
オンしたときに前記第３の端子の電位を所定電位に接続し、オフしたときに前記第３の端子と前記所定電位の接続を遮断する第３のスイッチとをさらに備え、
前記第３のスイッチは、前記中間アダプタと前記カメラ本体との当接状態に応じてオン、オフを切り替える、
ことを特徴とする請求項１記載の中間アダプタ。
【請求項５】
第１の配列で配置された複数の第１の端子を有する第１の交換レンズを直接装着可能であって、第２の配列で配置された複数の第２の端子を有する第２の交換レンズを中間アダプタを介して装着可能なカメラ本体であって、
前記第１の端子のそれぞれに接続可能に配置された複数の第３の端子を備え、
前記複数の第３の端子のうちのいずれか２つの相隣合う端子は同じ電気信号を伝達し、
前記中間アダプタは、前記カメラ本体と前記第２の交換レンズの間に装着されたときに、前記カメラ本体の前記２つの相隣合う端子を、前記第２の交換レンズの前記複数の第２の端子のうちの１つの端子に接続し、
前記複数の第３の端子は、前記カメラ本体に接続された前記アダプタに対して前記交換レンズが接続されていないときは接地電位以外の電位に接続され、前記カメラ本体に接続された前記アダプタに対して前記交換レンズが接続されたときは、接地電位に接続されるレンズ検知端子を含む、
ことを特徴とするカメラ本体。
【請求項６】
複数の第３の端子は、前記交換レンズに設けられた端子群に対応した端子群と、前記交換レンズによって対応されていない端子とを含み、
前記交換レンズによって対応されていない端子は、前記交換レンズに設けられた端子群に対応した端子群の外側に隣接して配置される
ことを特徴とする請求項５記載のカメラ本体。
【請求項７】
請求項５に記載のカメラ本体に接続可能な中間アダプタであって、
前記カメラ本体と前記第２の交換レンズの間に装着されたときに、前記カメラ本体の前記２つの相隣合う端子を、前記第２の交換レンズの前記複数の第２の端子のうちの１つの端子に接続する配線を有する、
ことを特徴とする中間アダプタ。
【請求項８】
カメラ本体と、中間アダプタと、前記中間アダプタを介して前記カメラ本体に取り付け可能な交換レンズとを含む撮像システムであって、
前記中間アダプタは、
第１の接地端子と、
前記第１の接地端子に電気的に接続された第２の接地端子と、
第１のレンズ検知端子と、
前記第１のレンズ検知端子に第１のスイッチを介して接続された第２のレンズ検知端子とを含み、
前記カメラ本体は、前記中間アダプタの装着を検知するための第２のスイッチと、第３の接地端子と、第３のレンズ検知端子とを含み、前記第３のレンズ検知端子の電位に基づいて前記交換レンズの装着を判断し、前記第３のレンズ検知端子は、前記カメラ本体に接続された前記アダプタに対して前記交換レンズが接続されていないときは、接地電位以外の電位に接続され、前記カメラ本体に接続された前記アダプタに対して前記交換レンズが接続されたときは、接地電位に接続され、
前記交換レンズは、接地電位に接続された第４の接地端子と、接地電位に接続された第４のレンズ検知端子とを含み、
前記カメラ本体に前記中間アダプタが接続されたときに、前記第３の接地端子と前記第１の接地端子が接続され、前記第３のレンズ検知端子と前記第１のレンズ検知端子が接続され、
前記中間アダプタに前記交換レンズが接続されたときに、前記第２の接地端子と前記第４の接地端子が接続され、前記第２のレンズ検知端子と前記第４のレンズ検知端子が接続され、
前記第１のスイッチは、前記中間アダプタに前記交換レンズが未装着のとき、または、前記中間アダプタに前記交換レンズが装着されている途中において、前記第１のレンズ検知端子と前記第２のレンズ検知端子間の電気的な接続を遮断し、前記中間アダプタに前記交換レンズが正しく装着されたときに前記第１のレンズ検知端子と第２のレンズ検知端子間を電気的に接続する、
ことを特徴とする撮像システム。
【発明の詳細な説明】
【技術分野】
【０００１】
本発明は、カメラ本体に直接適合しない交換レンズを使用可能にするために、カメラ本体と交換レンズとの間に挿入されて使用される中間アダプタに関する。
【背景技術】
【０００２】
カメラ本体と直接適合しない交換レンズを使用するために、カメラ本体と交換レンズとの間に介挿する中間アダプタが知られている。このような中間アダプタは、まず、カメラ本体に中間アダプタを装着し、次に、中間アダプタに交換レンズを装着する態様で使用される。中間アダプタには、カメラ本体と交換レンズそれぞれの信号端子や電源端子等に対応した端子が設けられている。中間アダプタのそれらの端子を介して、カメラ本体と交換レンズとの通信が行われる。
【０００３】
中間アダプタの一態様として、ＣＰＵを備えた中間アダプタの構成が特許文献１に開示されている。特許文献１に記載のカメラシステムでは、中間アダプタにＣＰＵを備えるものの、カメラ本体と交換レンズとの通信はＣＰＵを介さずに行われるので、通信遅延の問題がなく、中間アダプタの構成がシンプルになる。中間アダプタに内蔵されたＣＰＵは、カメラ本体のＣＰＵと３線式シリアル方式で通信し、補正用データをカメラ本体のＣＰＵに送信する。
【発明の概要】
【発明が解決しようとする課題】
【０００４】
中間アダプタを介して交換レンズをカメラ本体に装着完了後、カメラ本体から中間アダプタを介して交換レンズに電源が供給される。しかしながら、交換レンズのカメラ本体への装着途中において、カメラ本体から交換レンズへ電源が供給されると、誤って電源端子以外の端子に電源電圧が供給されてしまい、故障の原因となる。よって、カメラ本体は、交換レンズがアダプタに装着されたことを認識した上で、カメラ本体から交換レンズへ電源を供給することが必要であり、このため、交換レンズがアダプタに装着されたことを正確に検出することが重要である。
【０００５】
本発明は、前記課題を解決するために、中間アダプタを介して交換レンズをカメラ本体に装着する際の、中間アダプタに対する交換レンズの装着を正確に検出することを可能とする中間アダプタが提供される。
【課題を解決するための手段】
【０００６】
本発明の第１の態様において、カメラ本体と交換レンズとの間に介挿される中間アダプタが提供される。中間アダプタは、中間アダプタがカメラ本体に装着されたときに、カメラ本体に設けられたレンズ装着検出用の端子と接続可能な第１の端子と、中間アダプタが交換レンズに装着されたときに、交換レンズに設けられた所定電位を与える端子と接続可能な第２の端子と、第１の端子と第２の端子間に介在し、オンしたときに第１の端子と第２の端子間を電気的に接続し、オフしたときに第１の端子と第２の端子間の電気的な接続を遮断する第１のスイッチとを備える。第１のスイッチは、中間アダプタに前記交換レンズが未装着のとき、または、中間アダプタに交換レンズが装着されている途中において、オフして第１の端子と第２の端子間の電気的な接続を遮断すし、中間アダプタに前記交換レンズが正しく装着されたときは、オンして前記第１の端子と第２の端子間を電気的に接続する。
【０００７】
上記構成によれば、中間アダプタが交換レンズに装着されている途中では、カメラ本体に設けられたレンズ装着検出用の端子に接続可能な第１の端子と第２の端子間の電気的な接続を遮断し、これにより、カメラ本体に設けられたレンズ装着検出用の端子の電位を固定できる。よって、中間アダプタが交換レンズに装着されている途中において、レンズ装着検出用の端子から誤信号を検出することを防止でき、精度のよい、交換レンズ装着の検出が可能となる。
【０００８】
本発明の第２の態様において、第１の配列で配置された複数の第１の端子を有する第１の交換レンズを直接装着可能であって、第２の配列で配置された複数の第２の端子を有する第２の交換レンズを中間アダプタを介して装着可能なカメラ本体が提供される。カメラ本体は、第１の端子のそれぞれに接続可能に配置された複数の第３の端子を備える。複数の第３の端子のうちのいずれか２つの相隣合う端子は同じ電気信号を伝達する。中間アダプタは、カメラ本体と第２の交換レンズの間に装着されたときに、カメラ本体の２つの相隣合う端子を、第２の交換レンズの複数の第２の端子のうちの１つの端子に接続する。また、複数の第３の端子は、カメラ本体に接続されたアダプタに対して交換レンズが接続されていないときは接地電位以外の電位に接続され、カメラ本体に接続された前記アダプタに対して交換レンズが接続されたときは、接地電位に接続されるレンズ検知端子を含む。
【０００９】
そのため、中間アダプタは、カメラ本体と第２の交換レンズの間に装着されたときに、カメラ本体の前記２つの相隣合う端子を、第２の交換レンズの前記複数の第２の端子のうちの１つの端子に接続する配線を有する。
【００１０】
本発明の第３の態様において、カメラ本体と、中間アダプタと、中間アダプタを介してカメラ本体に取り付け可能な交換レンズとを含む撮像システムが提供される。中間アダプタは、第１の接地端子と、第１の接地端子に電気的に接続された第２の接地端子と、第１のレンズ検知端子と、第１のレンズ検知端子に第１のスイッチを介して接続された第２のレンズ検知端子とを含む。カメラ本体は、中間アダプタの装着を検知するための第２のスイッチと、第３の接地端子と、第３のレンズ検知端子とを含み、第３のレンズ検知端子の電位に基づいて前記交換レンズの装着を判断する。第３のレンズ検知端子は、カメラ本体に接続されたアダプタに対して交換レンズが接続されていないときは、接地電位以外の電位に接続され、カメラ本体に接続されたアダプタに対して交換レンズが接続されたときは、接地電位に接続される。交換レンズは、接地電位に接続された第４の接地端子と、接地電位に接続された第４のレンズ検知端子とを含む。
【００１１】
カメラ本体に前記中間アダプタが接続されたときに、前記第３の接地端子と前記第１の接地端子が接続され、前記第３のレンズ検知端子と前記第１のレンズ検知端子が接続される。中間アダプタに交換レンズが接続されたときに、第２の接地端子と第４の接地端子が接続され、第２のレンズ検知端子と第４のレンズ検知端子が接続される。第１のスイッチは、中間アダプタに交換レンズが未装着のとき、または、中間アダプタが交換レンズに装着されている途中において、第１のレンズ検知端子と第２のレンズ検知端子間の電気的な接続を遮断し、中間アダプタに交換レンズが正しく装着されたときに第１のレンズ検知端子と第２のレンズ検知端子間を電気的に接続する。
【発明の効果】
【００１２】
本発明によれば、中間アダプタを介して交換レンズを装着する際の、中間アダプタに対する交換レンズの装着を正確に検出することを可能とする。
【図面の簡単な説明】
【００１３】
【図１】中間アダプタを使用しない撮像システムの構成を示す図
【図２】カメラ本体側マウントの正面図
【図３】本発明の実施の形態の中間アダプタを使用した撮像システムの構成を示す図
【図４】中間アダプタ側マウントの正面図
【図５】カメラ本体側マウントと中間アダプタ側マウントとの比較図
【図６】本発明の実施の形態１における中間アダプタを使用した撮像システムの配線図
【図７】本発明の実施の形態２における中間アダプタを使用した撮像システムの配線図
【図８】本発明の実施の形態３における各種のカメラ本体、中間アダプタ及び交換レンズ間の装着状態を検出するスイッチとピンの、種々の装着状態に対する動作を説明した図
【発明を実施するための形態】
【００１４】
（実施の形態１）
１．構成
図１は、カメラ本体１００に交換レンズ２５０を直接装着したときの撮像システムを示す模式図である。カメラ本体１００には、バヨネット方式で交換レンズ２５０を装着するためのマウント１０１が設けられている。ここで、交換レンズ２５０はカメラ本体１００に適合した直接装着可能な交換レンズである。
【００１５】
図２は、カメラ本体１００のマウント１０１を正面から見た図である。カメラ本体１００に直接適合する交換レンズ２５０は、交換レンズ２５０の接合部２５３（図１参照）に設けられたツメ（図示せず）をカメラ本体１００のマウント１０１の切り欠き部１０２に挿入後、時計回りに回転させることで直接カメラ本体１００に装着することができる。カメラ本体１００のマウント１０１には交換レンズ２５０と通信するための端子１５０が設けられている。
【００１６】
ところで、交換レンズの接合部（２０３）の形状がカメラ本体１００のマウント１０１に適合しない場合、交換レンズはそのままでは、カメラ本体１００に装着することができない。また、カメラ本体１００は、交換レンズと通信することによって、交換レンズのフォーカスレンズや絞りなど（図示せず）を制御する。したがって、交換レンズの接合部（２０３）の形状がカメラ本体１００のマウント１０１に適合するものであったとしても、カメラ本体１００との通信に用いる交換レンズの端子の仕様がカメラ本体１００の端子１５０の仕様に適合しない場合は、機械的には装着可能であっても、カメラ本体１００が交換レンズのフォーカスレンズや絞りなどを制御することができない。本実施形態では、そのようなカメラ本体１００と交換レンズとの機械的 および電気的不適合を解消する中間アダプタを提供する。
【００１７】
図３に、カメラ本体１００に直接適合しない交換レンズ２００をカメラ本体１００に装着するために、本実施形態の中間アダプタ３００を介して、交換レンズ２００をカメラ本体１００に装着したときの撮像システムを示す。
【００１８】
カメラ本体１００には、撮像システム全体の動作を制御するボディマイコン１０４が含まれている。交換レンズ２００には、交換レンズ２００の動作を制御するレンズマイコン２０４が含まれている。ボディマイコン１０４とレンズマイコン２０４は互いに通信する。
【００１９】
中間アダプタ３００のカメラ本体１００に装着される側には、交換レンズ２５０の接合部２５３と同様の接合部３０３が設けられている。中間アダプタ３００の接合部３０３の形状は、カメラ本体１００のマウント１０１に適合する形状となっている。したがって、中間アダプタ３００の接合部３０３に設けられたツメ（図示せず）をカメラ本体１００のマウント１０１の切り欠き部１０２に挿入後、時計回りに回転させることで中間アダプタ３００をカメラ本体１００に装着することができる。
【００２０】
一方、中間アダプタ３００の交換レンズ２００を装着する側には、カメラ本体１００のマウント１０１の形状とは異なるが、交換レンズ２００の接合部２０３に適合する形状のマウント３０１が設けられている。これにより、カメラ本体１００のマウント１０１とは直接適合しない交換レンズ２００を中間アダプタ３００に装着することができる。
【００２１】
図４は、中間アダプタ３００のマウント３０１を正面（カメラ本体装着側）から見た図である。交換レンズ２００の接合部２０３の形状は、中間アダプタ３００のマウント３０１に適合するので、交換レンズ２００の接合部２０３に設けられたツメ（図示せず）を中間アダプタ３００のマウント３０１の切り欠き部３０２に挿入後、時計回りに回転させることで交換レンズ２００を中間アダプタ３００に装着することができる。中間アダプタ３００のマウント３０１には交換レンズ２００と通信するための端子３５０が設けられている。
【００２２】
中間アダプタ３００は、上記のように、カメラ本体１００のマウント１０１と交換レンズ２００の接合部２０３の機械的不適合を解消したり、中間アダプタ３００内で交換レンズ２００の端子の仕様をカメラ本体１００の端子１５０の仕様に合わせ込むための変換を行うことで、カメラ本体１００と交換レンズ２００との電気的不適合を解消したりすることができる。したがって、カメラ本体１００に内蔵されたボディマイコン１０４は、交換レンズ２００に内蔵されたレンズマイコン２０４と通信して、交換レンズ２００のフォーカスレンズや絞りなどを制御することができる。
【００２３】
２．配線
図５は、カメラ本体１００のマウント１０１と、中間アダプタ３００のマウント３０１との比較図である。図５（ａ）は、カメラ本体１００のマウント１０１の形状と各端子１５１〜１６１の名称を示した図である。図５（ｂ）は、中間アダプタ３００のマウント３０１の形状と各端子３５１〜３５９の名称を示した図である。カメラ本体１００のマウント１０１の切り欠き部１０２と中間アダプタ３００のマウント３０１の切り欠き部３０２とは、その大きさと位置が異なる。また、カメラ本体１００のマウント１０１の端子１５１〜１６１と中間アダプタ３００のマウント３０１の端子３５１〜３５９とは、その位置と数が異なる。中間アダプタ３００は、上記のようなカメラ本体１００のマウント１０１と交換レンズ２００の接合部２０３との機械的、電気的不適合を解消する。
【００２４】
図５（ａ）、（ｂ）のカメラ本体１００のマウント１０１の端子１５１〜１６１と中間アダプタ３００のマウント３０１の端子３５１〜３５９について説明する。ＢＶＣＣ１５１とＬＶＣＣ３５１は、電源端子であり、カメラ本体１００から中間アダプタ３００を介して交換レンズ２００に電力が供給される。ＢＧＮＤ１５２、ＢＧＮＤ１５３とＬＧＮＤ３５２は、接地端子である。カメラ本体１００には、ＢＧＮＤ１５２とＢＧＮＤ１５３の２本の接地端子が設けられているが、交換レンズ２００には１本の接地端子しか設けられていないので、中間アダプタ３００の接地端子はＬＧＮＤ３５２の１本である。ＢＧＮＤ１５２とＢＧＮＤ１５３は、中間アダプタ３００内で１本にまとめられた後、ＬＧＮＤ３５２に接続されている。
【００２５】
ＢＤＥＴ１５４とＬＤＥＴ３５４は、交換レンズ２００の装着を検出するための検出端子である。ＢＲＳＴ１５５とＬＲＳＴ３５５は、カメラ本体１００が交換レンズ２００をリセットするためのリセット端子である。ＢＢＨＳ１５６、ＢＬＨＳ１５７とＬＢＨＳ３５６、ＬＬＨＳ３５７は、カメラ本体１００が交換レンズ２００と通信を行う際のハンドシェイク端子である。ＢＤＩＯ１５８、ＢＣＬＫ１５９とＬＤＩＯ３５８、ＬＣＬＫ３５９は、カメラ本体１００が交換レンズ２００と２線式シリアル方式で通信を行うための端子である。ＢＤＩＯ１５８とＬＤＩＯ３５８は、データ端子であり、ＢＣＬＫ１５９とＬＣＬＫ３５９は、クロック端子である。ＢＡＨＳ１６０とＬＡＨＳ３６０は、カメラ本体１００がアクセサリと通信を行う際のハンドシェイク端子である。ＢＡＵＸ１６１は、補助端子であり、交換レンズ２００では使用しないので、中間アダプタ３００内では開放されている。したがって、中間アダプタ３００のマウント３０１には、ＢＡＵＸ１６１に対応する端子がない。
【００２６】
図６は、カメラ本体１００に直接適合しない交換レンズ２００を、本実施形態の中間アダプタ３００を介してカメラ本体１００に装着したときの撮像システムの配線図である。
【００２７】
中間アダプタ３００は、図６に示すように、カメラ本体１００の各端子と、それに対応する交換レンズ２００の各端子とを接続する配線を内部に有する。
【００２８】
カメラ本体１００は電源回路１０５を備えている。電源回路１０５の出力はボディマイコン１０４やカメラ本体１００内のその他のブロック（図示せず）に供給されるとともに、ＢＶＣＣ１５１、ＬＶＣＣ３５１を介してレンズマイコン２０４や交換レンズ２００内のその他のブロック（図示せず）にも供給される。ＢＧＮＤ１５２とＢＧＮＤ１５３は、カメラ本体１００内で接地されるとともに、中間アダプタ３００内の配線により１本にまとめられた後、ＬＧＮＤ３５２に接続され、交換レンズ２００内でも接地される。
【００２９】
なお、カメラ本体１００は、２本の接地端子ＢＧＮＤ１５２、ＢＧＮＤ１５３を有しているが、これらに対応する、交換レンズ２００の接地端子はＬＧＮＤ３５２の１本である。このような場合は、カメラ本体１００の接地端子ＢＧＮＤ１５２、ＢＧＮＤ１５３を隣接して設けることが望ましい。例えば、ＢＧＮＤ１５３がＢＡＵＸ１６１と隣接して設けられた場合、中間アダプタ３００内でＢＧＮＤ１５２とＢＧＮＤ１５３を１本にまとめるために、ＢＤＥＴ１５４からＢＡＨＳ１６０の配線とＢＧＮＤ１５３の配線とを交差させる必要がある。そのためには、少なくとも２層のフレキシブル基板が必要となるので、中間アダプタ３００のコスト増の要因となる。一方、ＢＧＮＤ１５２とＢＧＮＤ１５３が隣接して設けられていれば、中間アダプタ３００の配線は１層のフレキシブル基板で実現することができる。また、２本の接地端子ＢＧＮＤ１５２、ＢＧＮＤ１５３を隣接して設ける替わりに、ＢＧＮＤ１５３を中間アダプタ３００内にて開放にすることも考えられる。しかし、この場合は、中間アダプタ３００の配線を１層のフレキシブル基板で実現することはできるが、配線の一端を開放のまま放置することになり、これは電気的に好ましい状態とはいえない。
【００３０】
ＢＤＥＴ１５４は抵抗１１０を介してＢＶＣＣ１５１に接続されている。したがって、カメラ本体１００に中間アダプタ３００が装着されていない状態では、ボディマイコン１０４は、ＢＤＥＴ１５４の「Ｈ」状態（High：信号線が高電位の状態）を検出する。ＢＤＥＴ１５４は、中間アダプタ３００内でスイッチ３０６を介してＬＤＥＴ３５４に接続されている。ピン３０７は交換レンズ２００の本体の一部と当接することで移動し、スイッチ３０６の開閉（オン／オフ）を行うように構成されている。具体的には、ピン３０７は、中間アダプタ３００に交換レンズ２００が装着されていない状態では、スイッチ３０６を開放し、中間アダプタ３００に交換レンズ２００が装着されている状態では、スイッチ３０６を短絡するように構成されている。したがって、カメラ本体１００に中間アダプタ３００が装着されているが、中間アダプタ３００に交換レンズ２００が装着されていない状態では、スイッチ３０６は開放となり、ボディマイコン１０４は、ＢＤＥＴ１５４の「Ｈ」状態を検出する。一方、カメラ本体１００に中間アダプタ３００が装着され、さらに、中間アダプタ３００に交換レンズ２００が装着されている状態では、スイッチ３０６は短絡となり、ＬＤＥＴ３５４は交換レンズ２００内で接地されるので、ボディマイコン１０４は、ＢＤＥＴ１５４の「Ｌ」状態（Low:信号線が低電位の状態）を検出する。
【００３１】
ＢＲＳＴ１５５、ＢＢＨＳ１５６、ＢＬＨＳ１５７、ＢＤＩＯ１５８、ＢＣＬＫ１５９、ＢＡＨＳ１６０の各端子は、中間アダプタ３００内の対応するそれぞれの端子、すなわち、ＬＲＳＴ３５５、ＬＢＨＳ３５６、ＬＬＨＳ３５７、ＬＤＩＯ３５８、ＬＣＬＫ３５９、ＬＡＨＳ３６０に接続されている。なお、ＬＡＨＳ３６０は、交換レンズ２００では使用しないので、交換レンズ２００内で開放されている。また、ＢＡＵＸ１６１は、交換レンズ２００では使用しないので、中間アダプタ３００内で開放されている。
【００３２】
カメラ本体１００において、一端が抵抗１２７を介して接地され、他端がＢＶＣＣ１５１に接続されたスイッチ１０６が設けられている。スイッチ１０６の開閉（オン／オフ）はピン１０７により行われる。ピン１０７は中間アダプタ３００の本体の一部と当接することで移動し、スイッチ１０６の開閉（オン／オフ）を行うように構成されている。具体的には、ピン１０７は、カメラ本体１００に中間アダプタ３００が装着されていない状態では、スイッチ１０６を開放し、カメラ本体１００に中間アダプタ３００が装着されている状態では、スイッチ１０６を短絡するよう構成されている。したがって、カメラ本体１００に中間アダプタ３００が装着されていない状態では、スイッチ１０６は開放であるので、ボディマイコン１０４は、ＡＤＥＴ１７０の「Ｌ」状態を検出する。一方、カメラ本体１００に中間アダプタ３００が装着されている状態では、スイッチ１０６は短絡であるので、ボディマイコン１０４は、ＡＤＥＴ１７０の「Ｈ」状態を検出する。このようにＡＤＥＴ１７０は、カメラ本体１００への中間アダプタ３００の装着を検出する。なお、スイッチ１０６とピン１０７は、カメラ本体１００へのアダプタの装着を検出する装着検出部の一例である。
【００３３】
なお、すべての端子は、静電気などの外来雑音によるボディマイコン１０４やレンズマイコン２０４の破壊を防止するために、ツェナーダイオード１３１〜１３８、２３２〜２３６を介して接地されている。抵抗１１０〜１１８と抵抗２１２〜２１６は、信号の急峻な変化を緩和して雑音の発生を抑えるダンピング抵抗である。抵抗１２４、抵抗１２５と抵抗２２２、抵抗２２３、抵抗２２５、抵抗２２６は、入力端子または入出力端子を保護する保護抵抗である。図６には、矢印で各信号の向きを記載している。
【００３４】
以上の説明では、カメラ本体１００に対する中間アダプタ３００の装着検出と、中間アダプタ３００に対する交換レンズ２００の装着検出は、いずれもピンとスイッチで行うこととしたが、これに限定するものではない。機械的な検出方法に換えて、フォトインターラプタなどによる光学的な検出方法やホール素子などによる磁気的な検出方法を採用することもできる。これらの検出方法においては、機械的な検出方法に比べて可動部が少ないため、信頼性、耐久性を向上させることができる。
【００３５】
３．動作
以上のように構成され、配線された中間アダプタ３００を用いることで、ボディマイコン１０４は、中間アダプタ３００と交換レンズ２００の装着を段階的に検出することができる。表１は、ボディマイコン１０４によるＡＤＥＴ１７０とＢＤＥＴ１５４の検出状態と、中間アダプタ３００、交換レンズ２００の装着状態との対応を示す表である。
【００３６】
【表１】
0005411566.tif 000002
【００３７】
カメラ本体１００に中間アダプタ３００が装着されていないときは、ボディマイコン１０４は、ＡＤＥＴ１７０の「Ｌ」状態を検出する。また、カメラ本体１００に中間アダプタ３００が装着されていないときは、当然に交換レンズ２００も装着されていないので、ボディマイコン１０４は、ＢＤＥＴ１５４の「Ｈ」状態を検出する。よって、ＡＤＥＴ１７０が「Ｌ」状態であって、ＢＤＥＴ１５４が「Ｈ」状態であるときは、カメラ本体１００に中間アダプタ３００が装着されていないことがわかる。
【００３８】
カメラ本体１００に中間アダプタ３００が装着されているが、交換レンズ２００は装着されていないときは、ボディマイコン１０４は、ＡＤＥＴ１７０の「Ｈ」状態とＢＤＥＴ１５４の「Ｈ」状態を検出する。よって、ＡＤＥＴ１７０が「Ｈ」状態であって、ＢＤＥＴ１５４も「Ｈ」状態であるときは、カメラ本体１００に中間アダプタ３００が装着されているが、交換レンズ２００は装着されていないことがわかる。
【００３９】
カメラ本体１００に中間アダプタ３００が装着され、かつ、交換レンズ２００も装着されているときは、ボディマイコン１０４は、ＡＤＥＴ１７０の「Ｈ」状態とＢＤＥＴ１５４の「Ｌ」状態を検出する。よって、ＡＤＥＴ１７０が「Ｈ」状態であって、ＢＤＥＴ１５４が「Ｌ」状態であるときは、カメラ本体１００に中間アダプタ３００が装着され、かつ、交換レンズ２００も装着されていることがわかる。
【００４０】
（実施の形態２）
図７に、撮像システムの別の構成例（配線図）を示す。図７に示す中間アダプタ３００及びカメラ本体１００は、実施の形態１の図６に示す構成において、アダプタ装着検出用のスイッチ１０６及びピン１０７に関する構成が異なる。具体的には、図７の構成では、図６に示す構成においてカメラ本体１００における、アダプタ装着検出用のスイッチ１０６及びピン１０７を除去し、その替わりに、中間アダプタ３００においてアダプタ装着検出用のスイッチ３０８及びピン３０９を設けている。なお、ＢＤＥＴ１５４に関する検出部は、図６に示す構成と同様にスイッチ３０６とピン３０７で構成されている。ＢＤＥＴ１５４に対する中間アダプタ３００側の端子（図示せず）とＡＤＥＴ１７０に対する中間アダプタ３００側の端子（図示せず）は、報知部の一例である。その他の構成は、実施の形態１（図６に示す構成）と同様であるので、説明を省略する。
【００４１】
図７に示す構成において、ＡＤＥＴ１７０は、中間アダプタ３００と接続するための端子となり、カメラ本体１００の外部に露出することとなる。したがって、静電気などの外来雑音によるボディマイコン１０４の破壊を防止するために、ツェナーダイオード１３９を介して接地されている。
【００４２】
中間アダプタ３００に設けられたスイッチ３０８は、一端がＬＶＣＣ３５１に接続され、他端がＡＤＥＴ１７０に接続されている。ピン３０９は、カメラ本体１００に中間アダプタ３００が装着されていない状態では、スイッチ３０８を開放にし、カメラ本体１００に中間アダプタ３００が装着されている状態では、スイッチ３０８を短絡するよう構成されている。したがって、カメラ本体１００に中間アダプタ３００が装着されていない状態では、スイッチ３０８は開放であるので、ボディマイコン１０４は、ＡＤＥＴ１７０の「Ｌ」状態を検出する。一方、カメラ本体１００に中間アダプタ３００が装着されている状態では、スイッチ３０８は短絡されるので、ボディマイコン１０４は、ＡＤＥＴ１７０の「Ｈ」状態を検出する。
【００４３】
このように構成することで、カメラ本体１００は、スイッチ１０６及びピン１０７を備える必要がなくなるので、カメラ本体１００のコストを削減することが可能となる。なお、ボディマイコン１０４によるＡＤＥＴ１７０とＢＤＥＴ１５４の検出状態と、中間アダプタ３００、交換レンズ２００の装着状態との対応は、前述の表１に示したとおりであるので、説明を省略する。
【００４４】
（実施の形態３）
実施の形態１、２では、カメラ本体１００に対するアダプタ３００及び交換レンズ２００の装着の有無を検出可能な構成を説明した。本実施形態では、中間アダプタ３００及び交換レンズ２００の装着途中の状態において誤検出を防止する構成を説明する。
【００４５】
本実施形態の撮像システムの構成は基本的に実施の形態１で説明したものと同じであるが、実施の形態１とは、スイッチ１０６とスイッチ３０６の動作が異なる。図８を参照して、本実施形態のスイッチ１０６とピン１０７の動作を説明する。
【００４６】
図８（ａ）は、カメラ本体１００に中間アダプタ３００が装着されていないときのスイッチ１０６とピン１０７の状態を示した図である。図８（ｂ）は、カメラ本体１００に中間アダプタ３００を装着中のスイッチ１０６とピン１０７の状態を示した図である。図８（ｃ）は、カメラ本体１００への中間アダプタ３００の装着完了時のスイッチ１０６とピン１０７の状態を示した図である。
【００４７】
図８（ａ）〜（ｃ）に示すように、ピン１０６はバネ１０８によりカメラ本体１００の外部方向に付勢されている。スイッチ１０６は突起部１０６ｂを有し、その突起部１０６ｂがピン１０７の動きと連動してスライドする。突起部１０６ｂが位置ｂにあるとき、スイッチ１０６はオンし、突起部１０６ｂが位置ａにあるとき、スイッチ１０６はオフする。中間アダプタ３００または交換レンズ２００には凹部Ａが設けられており、中間アダプタ３００または交換レンズ２００がカメラ本体１００に対する取り付け位置に取り付けられたときに、ピン１０７は凹部Ａに嵌合するようになっている。ピン１０７が凹部Ａと嵌合すると、突起部１０６ｂはピン１０７により位置ｂに移動し、スイッチ１０６はオンする。
【００４８】
以上のように、スイッチ１０６は、カメラ本体１００に中間アダプタ３００が未装着のときはオンし、カメラ本体１００に中間アダプタ３００が装着されている途中のときは、オフし、カメラ本体１００への中間アダプタ３００の装着が完了すると、オンするように動作する。
【００４９】
また、本実施形態において、中間アダプタ３００内に設けられたＢＤＥＴに関するスイッチ３０６及びピン３０７についても、図８（ａ）〜（ｃ）に示すように、スイッチ１０６及びピン１０７と同様の構成を有し、同様に動作する。すなわち、スイッチ３０６は、中間アダプタ３００に交換レンズ２００が未装着のときはオンし、中間アダプタ３００に交換レンズ２００が装着されている途中のときはオフし、中間アダプタ３００への交換レンズ２００の装着が完了すると、オンするように動作する。
【００５０】
表２に本実施形態における、ボディマイコン１０４におけるＡＤＥＴ１７０とＢＤＥＴ１５４の検出状態と、中間アダプタ３００、交換レンズ２００の装着状態との対応を示す。
【００５１】
【表２】
0005411566.tif 000003
【００５２】
カメラ本体１００に中間アダプタ３００が未装着のときは、スイッチ１０６及びピン１０７は図８（ａ）に示す状態となり、スイッチ１０６はオンするため、ＡＤＥＴ１７０の「Ｈ」状態が検出される。ＢＤＥＴ１５４は抵抗１１０を介してＢＶＣＣ１５１に接続されるため、ＢＤＥＴ１５４の「Ｈ」状態が検出される。
【００５３】
カメラ本体１００に対して中間アダプタ３００が装着されている途中のときは、スイッチ１０６及びピン１０７は図８（ｂ）に示す状態となり、スイッチ１０６はオフする。よって、ＡＤＥＴ１７０は抵抗１２７を介して接地されるため、ＡＤＥＴ１７０の「Ｌ」状態が検出される。ＢＤＥＴ１５４の接続状態は変化がないため、「Ｈ」状態が検出される。
【００５４】
カメラ本体１００に対する中間アダプタ３００の装着が完了すると、スイッチ１０６及びピン１０７は図８（ｃ）に示す状態となり、スイッチ１０６はオンするため、ＡＤＥＴ１７０の「Ｈ」状態が検出される。ＢＤＥＴ１５４の接続状態は変わらないため、「Ｈ」状態が検出される。
【００５５】
カメラ本体１００に装着された中間アダプタ３００に対して交換レンズ２００が装着されている途中では、スイッチ３０６及びピン３０７は図８（ｂ）に示すような状態となり、スイッチ３０６はオフする。このため、ＢＤＥＴ１５４には抵抗１５１を介してＢＶＣＣ１５１が接続されるため、ＢＤＥＴ１５４の「Ｈ」状態が検出される。このように、中間アダプタ３００に対する交換レンズ２００の装着途中では、スイッチ３０６は強制的にオフされる。このため、装着時において、中間アダプタ３００のＬＤＥＴ端子が交換レンズ２００の種々の端子と接触した場合であっても、ＢＤＥＴ１５４を誤って「Ｌ」状態にすることを防止でき、ＢＤＥＴ信号を常に「Ｈ」状態にできるので、ボディマイコン１０４におけるＢＤＥＴ信号の誤検出を防止できる。
【００５６】
中間アダプタ３００に対する交換レンズ２００の装着が完了すると、スイッチ３０６及びピン３０７は図８（ｃ）に示す状態となり、スイッチ３０６はオンする。このため、ＢＤＥＴ１７０は交換レンズ内で接地電位に接続されるため、ＢＤＥＴ１７０の「Ｌ」状態が検出される。
【００５７】
以上のように、ＡＤＥＴ検出信号及びＢＤＥＴ検出信号がそれぞれ「Ｈ」、「Ｌ」になったときに交換レンズ２００の装着が完了したことを検出できる。以上の方法により、交換レンズ２００の装着途中における端子の接触状態の変化に起因する、交換レンズ２００の装着完了の誤検出を防止できる。
【００５８】
表３に、中間アダプタ３００を介さずにカメラ本体１００に交換レンズ２５０を装着した場合の、ボディマイコン１０４におけるＡＤＥＴ１７０とＢＤＥＴ１５４の検出状態と、交換レンズ２５０の装着状態との対応を示す。
【００５９】
【表３】
0005411566.tif 000004
【００６０】
中間アダプタ３００を介さずに交換レンズ２００を装着する場合、装着中においては、ピン１０７の状態は図８（ｂ）に示すようになる。このため、ＡＤＥＴ検出信号は「Ｌ」となる。このため、ボディマイコン１０４は、ＢＤＥＴ検出信号にかかわらず、交換レンズがまだ装着されていないことを認識できる。すなわち、ＡＤＥＴ１７０とＢＤＥＴ１５４の検出状態として「Ｈ」、「Ｌ」の組み合わせは、交換レンズ２５０の装着が完了したときのみ得られる。よって、中間アダプタ３００を使用するときも使用しないときも、ＡＤＥＴ１７０とＢＤＥＴ１５４の検出状態として「Ｈ」、「Ｌ」の組み合わせを検出することで、交換レンズの装着の有無を確実に検出することができる。ボディマイコン１０４は、交換レンズの装着を検出した後に電源供給を開始することで、交換レンズ内の素子の破損を防止できる。
【産業上の利用可能性】
【００６１】
本発明によれば、アダプタを介して交換レンズを装着する際に確実に交換レンズの装着を検出できるので、交換レンズ方式の撮像システムの中間アダプタやカメラ本体に適用可能である。
【００６２】
上記の説明は、特定の実施形態について説明されてきたが、当業者にとっては他の多くの変形例、修正、他の利用が明らかである。それゆえ、実施形態は、ここでの特定の開示に限定されず、添付の請求の範囲によってのみ限定され得る。なお、本出願は日本国特許出願、特願２００８−１１６８３１号（２００８年４月２８日提出）に関連し、それらの内容は参照することにより本文中に組み入れられる。
【符号の説明】
【００６３】
１００  カメラ本体
１０１  マウント
１０２  切り欠き部
１０４  ボディマイコン
１０５  電源回路
１０６、３０６、３０８  スイッチ
１０７、３０７、３０９  ピン
１１０〜１１８，１２４、１２５、１２７  抵抗
１３１〜１３９  ツェナーダイオード
１５０〜１６１、３５０〜３６０  端子（電源端子、信号端子、接地端子）
２００  交換レンズ
２０３  接合部
２０４  レンズマイコン
２１２〜２１６、２２２、２２３、２２５、２２６  抵抗
２３２〜２３６  ツェナーダイオード
２５０  交換レンズ
２５３  接合部
３００  中間アダプタ
３０１  マウント
３０２  切り欠き部
３０３  接合部
【先行技術文献】
【特許文献】
【００６４】
【特許文献１】特開平７−２３４４３２号公報
【図１】
0005411566.tif 000005
【図２】
0005411566.tif 000006
【図３】
0005411566.tif 000007
【図４】
0005411566.tif 000008
【図５】
0005411566.tif 000009
【図６】
0005411566.tif 000010
【図７】
0005411566.tif 000011
【図８】
0005411566.tif 000012